(57)【要約】【課題】マッサージ部位に対して温感と冷感とを好適に繰り返すことを課題とする。【解決手段】  着座者のシートに接触する所定の部位に対する加圧力を増減させる加圧装置と、所定の部位を加温する加温装置と、所定の部位に向かって送風する送風装置とを備えるシートにおいて、加圧装置による加圧力の増減中に、加温装置による加温と、送風装置による送風とが交互に実行される。つまり、加温されたマッサージ部位が送風により強制的に冷却される。これにより、マッサージ部位の温度を周期的に変更することが可能となり、マッサージ部位に対して温感と冷感とを好適に繰り返すことが可能となる。【選択図】図５
2019042201.tif 000002
【特許請求の範囲】
【請求項１】
着座者のシートに接触する所定の部位に対する加圧力を増減させる加圧装置と、
前記所定の部位を加温する加温装置と、
前記所定の部位に向かって送風する送風装置と、
制御装置と
を備え、
前記制御装置が、
前記加圧装置による加圧力の増減中に、前記加温装置による加温と、前記送風装置による送風とが交互に実行されるように、前記加温装置と前記送風装置との作動を制御することを特徴とするシート。
【請求項２】
前記制御装置が、
前記加温装置の作動が停止した後に、前記送風装置による送風が開始するように、前記加温装置と前記送風装置との作動を制御することを特徴とする請求項１に記載のシート。
【請求項３】
前記加圧装置が、エアの供給により拡縮する拡縮袋と、ポンプと、前記拡縮袋と前記ポンプとに接続される第１のエア供給経路とにより構成され、前記拡縮袋の拡大により加圧力を増加させ、前記拡縮袋の収縮により加圧力を減少させ、
前記送風装置が、前記ポンプと、前記ポンプとに接続される第２のエア供給経路とにより構成され、前記ポンプによる前記第２のエア供給経路へのエアの供給により送風することを特徴とする請求項１または請求項２に記載のシート。
【請求項４】
前記送風装置が、複数の穴が形成された空気袋と、ポンプと、前記空気袋と前記ポンプとに接続されるエア供給経路とにより構成され、前記ポンプによる前記エア供給経路へのエアの供給により、前記複数の穴から送風することを特徴とする請求項１または請求項２に記載のシート。
【請求項５】
前記空気袋の前記エア供給経路に接続された箇所に近いほど、前記穴の数が少なくされることと、前記空気袋の前記エア供給経路に接続された箇所に近いほど、前記穴の径が小さくされることとの少なくとも一方が実現されたことを特徴とする請求項４に記載のシート。
【請求項６】
前記送風装置が、ポンプと、タンクと、前記ポンプと前記タンクとに接続されるエア供給経路とにより構成され、前記ポンプと前記タンクとによる前記エア供給経路へのエアの供給により送風することを特徴とする請求項１または請求項２に記載のシート。
【発明の詳細な説明】
【技術分野】
【０００１】
本発明は、着座者の所定の部位をマッサージする機能を有するシートに関する。
【背景技術】
【０００２】
着座者の所定の部位をマッサージする機能を有するシートが存在し、マッサージにより着座者をリラックスさせることが可能とされている。また、そのようなシートにおいて、シートに設けられたヒータの作動と停止とが繰り返されることで、マッサージ部位の温度を増減させ、マッサージによるリラックス効果を更に増大させることが可能とされている。下記特許文献には、そのようなシートの一例が記載されている。
【先行技術文献】
【特許文献】
【０００３】
【特許文献１】特許第６０８７７８９号公報
【発明の概要】
【発明が解決しようとする課題】
【０００４】
上記特許文献に記載の技術では、ヒータの作動と停止とが繰り返されることで、マッサージ部位の温度が増減される。つまり、ヒータの作動によりマッサージ部位の温度が上昇し、ヒータの停止に伴ってヒータが自然放熱することで、マッサージ部位の温度が低下する。しかしながら、ヒータの自然放熱では、マッサージ部位の温度は低下し難く、マッサージ部位に対して温感と冷感とを好適に繰り返すことはできず、リラックス効果は然程、増大しない。本発明は、そのような実情に鑑みてなされたものであり、マッサージ部位に対して温感と冷感とを好適に繰り返すことを課題とする。
【課題を解決するための手段】
【０００５】
上記課題を解決するために、本願の請求項１に記載のシートは、着座者のシートに接触する所定の部位に対する加圧力を増減させる加圧装置と、前記所定の部位を加温する加温装置と、前記所定の部位に向かって送風する送風装置と、制御装置とを備え、前記制御装置が、前記加圧装置による加圧力の増減中に、前記加温装置による加温と、前記送風装置による送風とが交互に実行されるように、前記加温装置と前記送風装置との作動を制御することを特徴とする。
【０００６】
また、請求項２に記載のシートでは、請求項１に記載のシートにおいて、前記制御装置が、前記加温装置の作動が停止した後に、前記送風装置による送風が開始するように、前記加温装置と前記送風装置との作動を制御することを特徴とする。
【０００７】
また、請求項３に記載のシートでは、請求項１または請求項２に記載のシートにおいて、前記加圧装置が、エアの供給により拡縮する拡縮袋と、ポンプと、前記拡縮袋と前記ポンプとに接続される第１のエア供給経路とにより構成され、前記拡縮袋の拡大により加圧力を増加させ、前記拡縮袋の収縮により加圧力を減少させ、前記送風装置が、前記ポンプと、前記ポンプとに接続される第２のエア供給経路とにより構成され、前記ポンプによる前記第２のエア供給経路へのエアの供給により送風することを特徴とする。
【０００８】
また、請求項４に記載のシートでは、請求項１または請求項２に記載のシートにおいて、前記送風装置が、複数の穴が形成された空気袋と、ポンプと、前記空気袋と前記ポンプとに接続されるエア供給経路とにより構成され、前記ポンプによる前記エア供給経路へのエアの供給により、前記複数の穴から送風することを特徴とする。
【０００９】
また、請求項５に記載のシートでは、請求項４に記載のシートにおいて、前記空気袋の前記エア供給経路に接続された箇所に近いほど、前記穴の数が少なくされることと、前記空気袋の前記エア供給経路に接続された箇所に近いほど、前記穴の径が小さくされることとの少なくとも一方が実現されたことを特徴とする。
【００１０】
また、請求項６に記載のシートでは、請求項１または請求項２に記載のシートにおいて、前記送風装置が、ポンプと、タンクと、前記ポンプと前記タンクとに接続されるエア供給経路とにより構成され、前記ポンプと前記タンクとによる前記エア供給経路へのエアの供給により送風することを特徴とする。
【発明の効果】
【００１１】
請求項１に記載のシートは、マッサージ部位に向かって送風する送風装置を有している。そして、加圧装置によるマッサージ中に、マッサージ部位への加温と、送風装置による送風とが交互に実行される。つまり、加温された部位が送風により強制的に冷却される。これにより、マッサージ部位に対して温感と冷感とを好適に繰り返すことが可能となる。
【００１２】
また、請求項２に記載のシートでは、加温が停止した後に、送風装置による送風が開始する。これにより、マッサージ部位の昇温が停止した後に、送風によりマッサージ部位の温度を低下させることが可能となり、マッサージ部位を好適に冷却することが可能となる。
【００１３】
また、請求項３に記載のシートでは、加圧装置が、ポンプから拡縮袋へのエアの供給により拡縮することで、加圧力を増減させる。また、送風装置は、そのポンプからエアが供給されることで、送風する。つまり、加圧装置の駆動源と送風装置の駆動源として、１台のポンプが供用される。これにより、ポンプの配設スペースの増大，コスト高などを抑制することが可能となる。
【００１４】
また、請求項４に記載のシートでは、送風装置が、複数の穴が形成された空気袋を有しており、ポンプから空気袋にエアが供給されることで、空気袋に形成された穴から送風する。これにより、好適にマッサージ部位に向かって送風することが可能となる。
【００１５】
また、請求項５に記載のシートでは、空気袋へのエアの供給箇所に近いほど、空気袋の穴の数が少なくされることと、空気袋へのエアの供給箇所に近いほど、空気袋の穴の径が小さくされることとの少なくとも一方が実現される。これにより、空気袋へのエアの供給箇所に近い穴からのエアの送風量と、空気袋へのエアの供給箇所から遠い穴からのエアの送風量とを同じにすることが可能となる。つまり、複数の穴からのエアの送風量を均一にすることが可能となる。
【００１６】
また、請求項６に記載のシートでは、送風装置が、ポンプから供給されるエアと、タンクに貯留されるエアとにより送風する。これにより、ポンプの小型化を図ることが可能となる。
【図面の簡単な説明】
【００１７】
【図１】車両用シートの斜視図である。
【図２】マッサージ装置の部分拡大図である。
【図３】着座者の後頭部及び頸部のツボを概略的に示す図である。
【図４】マッサージ装置を全体的に示す概略図である。
【図５】マッサージ装置のエアポンプ，面ヒータ等のタイムチャートを示す図である。
【図６】第２実施例のマッサージ装置のエアポンプ，面ヒータ等のタイムチャートを示す図である。
【図７】変形例のマッサージ装置の部分拡大図である。
【発明を実施するための形態】
【００１８】
以下、本発明を実施するための形態として、本発明の実施例を、図を参照しつつ詳しく説明する。
【００１９】
＜車両用シートの構造＞
図１に、車両用シート１０を側方からの視点において示す。車両用シート１０は、着座者の臀部を支持するシートクッション１２と、着座者の背部を支持するシートバック１４と、シートバック１４の上端に設けられて着座者の頭部を支持するヘッドレスト１６とによって構成されており、シートクッション１２に対するシートバック１４の傾斜角度を変更することが可能とされている。そして、ヘッドレスト１６には、マッサージ装置２０が内蔵されており、シートバック１４のトルソー角度が約３０度以上の場合に、マッサージ装置２０によって、着座者の後頭部および頸部のマッサージが行われ、加温及び冷却が交互に行われる。
【００２０】
具体的には、マッサージ装置２０は、図２に示すように、８個のマッサージ用空気袋２２ａ〜ｈと、２個の送風用空気袋２４ａ，ｂと、４個の面ヒータ２６ａ〜ｄとを備えている。８個のマッサージ用空気袋２２ａ〜ｈは、概して球形状をなし、互いに略同寸法とされている。そして、マッサージ用空気袋２２ａ〜ｈは、ヘッドレスト１６の着座面側のウレタン製のパッドと布製のカバーとの間において、着座者の後頭部及び頸部に存在するツボと対向するように、配設されている。
【００２１】
詳しくは、人体の頭部及び頸部には、図３に示すように、後頭部の中央付近に左右方向に並んだ状態で、２個の玉枕ツボ３０があり、後頭部の下端部付近に左右方向に並んだ状態で、２個の風池ツボ３２があり、頸部に左右方向に並んだ状態で、２個の天柱ツボ３４がある。そして、マッサージ用空気袋２２ａ，ｂが、着座者の玉枕ツボ３０と対向するように配設され、マッサージ用空気袋２２ｃ〜ｆが、着座者の風池ツボ３２と対向するように配設され、マッサージ用空気袋２２ｇ，ｈが、着座者の天柱ツボ３４と対向するように配設されている。
【００２２】
また、２個の送風用空気袋２４ａ，ｂは、図２に示すように、概してＴ字型をなし、互いに略同寸法とされている。送風用空気袋２４ａ，ｂは、棒形状をなす本体部５０と、本体部５０の中央部から本体部５０と直行するように延び出す延出部５２とから構成されている。そして、送風用空気袋２４ａ，ｂは、ヘッドレスト１６の着座面側のウレタン製のパッドと布製のカバーとの間において、マッサージ用空気袋２２ａ〜ｈの周囲に配設されている。
【００２３】
詳しくは、送風用空気袋２４ａは、本体部５０をマッサージ用空気袋２２ａ，ｂとマッサージ用空気袋２２ｃ〜ｆとの間に延設させ、延出部５２をマッサージ用空気袋２２ａとマッサージ用空気袋２２ｂとの間に延設させた状態で配設されている。一方、送風用空気袋２４ｂは、本体部５０をマッサージ用空気袋２２ｇ，ｈと対向するように延設させ、延出部５２をマッサージ用空気袋２２ｇとマッサージ用空気袋２２ｈとの間に延設させた状態で配設されている。
【００２４】
また、送風用空気袋２４ａ，ｂには、複数の送風穴５６が形成されている。送風穴５６は、送風用空気袋２４ａ，ｂのカバー側の面の全域に亘って形成されている。なお、後に詳しく説明するが、送風用空気袋２４ａには、延出部５２の本体部５０と反対側の端部において空気袋側チューブ５８が接続されており、送風用空気袋２４ｂには、本体部５０の中央において空気袋側チューブ５８が接続されている。そして、送風用空気袋２４ａ，ｂに形成される複数の送風穴５６の径は、送風用空気袋２４ａ，ｂの空気袋側チューブ５８に接続された箇所に近いほど小さくされており、送風用空気袋２４ａ，ｂの空気袋側チューブ５８に接続された箇所から遠いほど大きくされている。
【００２５】
また、面ヒータ２６ａ〜ｄは、円形の面状をなしており、面ヒータ２６ａ，ｂの外径は、マッサージ用空気袋２２の外径より僅かに大きくされており、面ヒータ２６ｃ，ｄの外径は、３個のマッサージ用空気袋２２が入る程度とされている。そして、面ヒータ２６ａは、マッサージ用空気袋２２ａとカバーとの間において、マッサージ用空気袋２２ａを覆うように配設され、面ヒータ２６ｂは、マッサージ用空気袋２２ｂとカバーとの間において、マッサージ用空気袋２２ｂを覆うように配設されている。また、面ヒータ２６ｃは、マッサージ用空気袋２２ｃ，ｄ，ｇとカバーとの間において、マッサージ用空気袋２２ｃ，ｄ，ｇを覆うように配設され、面ヒータ２６ｄは、マッサージ用空気袋２２ｅ，ｆ，ｈとカバーとの間において、マッサージ用空気袋２２ｅ，ｆ，ｈを覆うように配設されている。
【００２６】
なお、マッサージ用空気袋２２ｃ，ｄ，ｅ，ｆ，ｇ，ｈは、全面において、面ヒータ２６ｃ，ｄにより覆われている。また、面ヒータ２６ａ〜ｄは、送風用空気袋２４ａ，ｂを覆わないように、配設されている。
【００２７】
また、マッサージ装置２０は、さらに、図４に示すように、エアチューブ６０と、エアポンプ６２と、２個のエアタンク６４，６６と、８個の給気用電磁弁６８と、８個の排気用電磁弁７０と、２個のタンク用電磁弁７２と、送風用電磁弁７４と、制御装置７６とを備えている。
【００２８】
エアチューブ６０は、メインチューブ７８と、８本の拡縮用チューブ８０と、送風用チューブ８２とにより構成されている。メインチューブ７８の一端部は、エアポンプ６２に接続されている。また、メインチューブ７８の他端部は、９股に分離しており、それら９股に分離した端部のうちの８個の端部の各々に、給気用電磁弁６８が配設されている。
【００２９】
そして、拡縮用チューブ８０の一端部が、給気用電磁弁６８を介して、メインチューブ７８の他端部に接続されている。また、拡縮用チューブ８０の他端部は、２股に分離している。そして、それら２股に分離した拡縮用チューブ８０の端部の一方に、マッサージ用空気袋２２が接続されており、他方に排気用電磁弁７０が配設されている。
【００３０】
また、送風用チューブ８２は、タンク側チューブ８６と、上述した空気袋側チューブ５８とにより構成されている。そして、メインチューブ７８の９股に分離した端部のうちの１個の端部に、タンク側チューブ８６の一端部が接続されている。一方、タンク側チューブ８６の他端部は、３股に分離しており、それら３股に分離したタンク側チューブ８６の端部うちの２個の端部の各々に、タンク用電磁弁７２が配設されており、そのタンク用電磁弁７２を介して、エアタンク６４，６６が接続されている。
【００３１】
また、３股に分離したタンク側チューブ８６の端部のうちの残りの端部に、送風用電磁弁７４が配設されており、その送風用電磁弁７４を介して、空気袋側チューブ５８の一端部が接続されている。また、空気袋側チューブ５８の他端部は、２股に分離しており、それら２股に分離した空気袋側チューブ５８の端部に、送風用空気袋２４ａ，ｂが接続されている。なお、上述したように、送風用空気袋２４ａには、延出部５２において、２股に分離した空気袋側チューブ５８の端部の一方が接続され、送風用空気袋２４ｂには、本体部５０において、２股に分離した空気袋側チューブ５８の端部の他方が接続されている。
【００３２】
また、制御装置７６は、面ヒータ２６ａ〜ｄ，エアポンプ６２，給気用電磁弁６８，排気用電磁弁７０，タンク用電磁弁７２，送風用電磁弁７４の各々に接続されている。そして、制御装置７６からの指令に従って、給気用電磁弁６８，排気用電磁弁７０，タンク用電磁弁７２，送風用電磁弁７４の各々の作動が制御される。
【００３３】
なお、面ヒータ２６ａ〜ｄは、制御装置７６からの指令に従って、作動することで、加温し、停止することで、加温を停止する。また、エアポンプ６２は、制御装置７６からの指令に従って、作動することで、メインチューブ７８にエアを供給し、停止することで、メインチューブ７８へのエアの供給を停止する。また、排気用電磁弁７０，タンク用電磁弁７２，送風用電磁弁７４の各々は、制御装置７６からの指令に従って、開状態となることで、各電磁弁が配設されているチューブのエアの通過を許容し、閉状態となることで、各電磁弁が配設されているチューブのエアの通過を遮断する。
【００３４】
＜車両用シートにおけるマッサージ装置の作動＞
車両用シート１０では、上述した構造において、マッサージ装置２０が作動することで、着座者の後頭部および頸部のマッサージが行われる。具体的には、図５に示すように、エアポンプ６２が、制御装置７６からの指令に従って、所定の間隔、例えば、３秒毎に、作動と停止とを繰り返し実行する。つまり、３秒間、エアポンプ６２が作動した後に、エアポンプ６２が停止する。そして、エアポンプ６２が３秒間、停止した後に、再度、エアポンプ６２が、３秒間、作動する。このように、エアポンプ６２において、３秒間の作動と、３秒間の停止とが繰り返し実行される。
【００３５】
また、エアポンプ６２において作動と停止とが繰り返し実行されている際に、拡縮用チューブ８０では、エアポンプ６２が作動している間に、給気用電磁弁６８が開状態とされ、排気用電磁弁７０が閉状態とされる。つまり、エアポンプ６２が作動している間に、エアポンプ６２がエアを供給しているメインチューブ７８から拡縮用チューブ８０へのエアの通過が許容され、排気用電磁弁７０を介したエアの排気が禁止される。これにより、エアポンプ６２が作動している間に、マッサージ用空気袋２２にエアが供給され、拡大する。
【００３６】
一方、エアポンプ６２において作動と停止とが繰り返し実行されている際に、拡縮用チューブ８０では、エアポンプ６２が停止している間に、給気用電磁弁６８が閉状態とされ、排気用電磁弁７０が開状態とされる。つまり、エアポンプ６２が停止している間に、メインチューブ７８と拡縮用チューブ８０との間のエアの通過が遮断され、排気用電磁弁７０を介したエアの排気が許容される。これにより、エアポンプ６２が停止している間に、マッサージ用空気袋２２からエアが排出され、収縮する。
【００３７】
このように、エアポンプ６２において作動と停止とが繰り返し実行されることで、マッサージ用空気袋２２の拡大と収縮とが、３秒毎に実行される。これにより、着座者の玉枕ツボ３０等のツボに対する加圧力が３秒ごとに増減することで、着座者のツボがマッサージされ、着座者をリラックスさせることが可能となる。
【００３８】
また、着座者のツボに対する加圧力の増減によりマッサージが行われている間、つまり、マッサージ用空気袋２２が拡縮している間に、マッサージが行われている部位に対して、加温及び送風による冷却が交互に行われる。具体的には、エアポンプ６２が３秒間作動した後に、エアポンプ６２が３秒間停止する周期を、１サイクルと定義した場合に、面ヒータ２６ａ〜ｄは、制御装置７６からの指令に従って、１サイクルの間、つまり、６秒間、作動した後に、２サイクルの間、つまり、１２秒間、停止する。そして、面ヒータ２６ａ〜ｄが、２サイクルの間、つまり、１２秒間、停止した後に、１サイクルの間、つまり、６秒間、作動する。なお、面ヒータ２６ａ〜ｄは、エアポンプ６２の作動の開始のタイミングで、作動を開始し、エアポンプ６２の作動が停止されるタイミングで、作動を停止する。
【００３９】
このように、面ヒータ２６ａ〜ｄでは、６秒間の作動と、１２秒間の停止とが繰り返し実行されており、エアポンプ６２の作動開始のタイミングで、面ヒータ２６ａ〜ｄが作動を開始し、エアポンプ６２の作動が停止されるタイミングで、面ヒータ２６ａ〜ｄが作動を停止する。つまり、面ヒータ２６ａ〜ｄは、マッサージ用空気袋２２が１回拡縮する間の６秒間、マッサージ部位を加熱しており、その後に、マッサージ用空気袋２２が２回拡縮する間の１２秒間、マッサージ部位の加熱を停止することで、放熱している。これにより、マッサージ用空気袋２２によるマッサージと同期して、マッサージ部位が周期的に加熱される。
【００４０】
また、２個のエアタンク６４，６６のうちの一方のエアタンク（以下、「第１タンク」と記載する場合がある。）６４と、２個のエアタンク６４，６６のうちの他方のエアタンク（以下、「第２タンク」と記載する場合がある。）６６との各々に、順次、エアポンプ６２からのエアの供給により、エアが貯留される。そして、第１タンク６４と第２タンク６６とに貯留されたエア及び、エアポンプ６２から供給されるエアが、送風用空気袋２４ａ，ｂに供給されることで、マッサージの行われている部位が、送風により冷却される。
【００４１】
具体的には、エアポンプ６２の作動が開始するとともに、面ヒータ２６ａ〜ｄの作動が開始したタイミングで、送風用チューブ８２において、第１タンク６４に対応するタンク用電磁弁（以下、「第１タンク用電磁弁」と記載する場合がある）７２が開状態とされる。そして、エアポンプ６２の作動が停止すると、第１タンク用電磁弁７２が閉状態とされる。この際、送風用電磁弁７４および、第２タンク６６に対応するタンク用電磁弁（以下、「第２タンク用電磁弁」と記載する場合がある）７２は、閉状態とされる。これにより、エアポンプ６２が作動している３秒間、エアポンプ６２から供給されたエアが、第１タンク６４に貯留される。
【００４２】
また、エアポンプ６２の作動が開始するとともに、面ヒータ２６ａ〜ｄの作動が停止したタイミングで、送風用チューブ８２において、第２タンク用電磁弁７２が開状態とされる。そして、エアポンプ６２の作動が停止すると、第２タンク用電磁弁７２が閉状態とされる。この際、送風用電磁弁７４および、第１タンク用電磁弁７２は、閉状態とされる。これにより、エアポンプ６２が作動している３秒間、エアポンプ６２から供給されたエアが、第２タンク６６に貯留される。
【００４３】
そして、第２タンク用電磁弁７２が閉状態とされてから３秒経過後、つまり、面ヒータ２６ａ〜ｄの作動が停止してから６秒経過後に、エアポンプ６２の作動が開始するタイミングで、第１タンク用電磁弁７２と第２タンク用電磁弁７２と送風用電磁弁７４とが、開状態とされる。この際、第１タンク６４と第２タンク６６とに貯留されたエア及び、エアポンプ６２から供給されるエアが、送風用空気袋２４ａ，ｂに供給され、送風用空気袋２４ａ，ｂの送風穴５６からエアが噴出することで、マッサージ部位が、送風により冷却される。
【００４４】
つまり、面ヒータ２６ａ〜ｄによるマッサージ部位の加熱が停止したタイミングから６秒経過後に、マッサージ用空気袋２２が拡大するタイミングに合わせて、マッサージ部位が冷却される。これにより、マッサージ用空気袋２２によるマッサージと同期して、マッサージ部位が周期的に冷却されるとともに、マッサージ部位の加熱と冷却とが交互に実行される。なお、第１タンク用電磁弁７２と第２タンク用電磁弁７２と送風用電磁弁７４とは、３秒間、開状態とされた後に、閉状態とされる。そして、第１タンク用電磁弁７２と第２タンク用電磁弁７２と送風用電磁弁７４との閉状態が３秒間、維持された後に、面ヒータ２６ａ〜ｄが作動する。
【００４５】
このように、マッサージ部位の加熱と冷却とが交互に実行されることで、マッサージ部位の温度は、周期的に変化する。詳しくは、面ヒータ２６ａ〜ｄの作動中（Ｔ１〜Ｔ３，Ｔ７〜Ｔ９，Ｔ１３〜Ｔ１５）において、マッサージ部位の温度は上昇する。そして、面ヒータ２６ａ〜ｄの作動停止に伴って、面ヒータ２６ａ〜ｄの自然放熱などにより、マッサージ部位の温度は微減する（Ｔ３〜Ｔ５，Ｔ９〜Ｔ１１）。さらに、送風用空気袋２４ａ，ｂからのエアの送風により、マッサージ部位が冷却され、マッサージ部位の温度は低下する（Ｔ５〜Ｔ７，Ｔ１１〜Ｔ１３）。これにより、マッサージ部位の温度が周期的に変化することで、マッサージによるリラックス効果を増大させることが可能となる。
【００４６】
特に、マッサージ装置２０では、送風により、マッサージ部位が強制的に冷却されるため、マッサージ部位の温度を周期的に変化させることが可能となる。つまり、送風によりマッサージ部位を冷却しない場合には、マッサージ部位は、面ヒータ２６ａ〜ｄの停止に伴って、自然放熱し、その部位の温度は微減する。このため、マッサージ部位が送風により冷却されない場合において、マッサージ部位の温度は周期的に変化しないため、マッサージによるリラックス効果を増大させることはできない。このようなことを考慮すれば、マッサージ装置２０では、送風により、マッサージ部位を強制的に冷却することで、マッサージ部位の温度が周期的に変化し、マッサージによるリラックス効果を増大させることが可能となる。
【００４７】
さらに言えば、エアポンプ６２が作動し、マッサージ用空気袋２２が拡大しているタイミング、つまり、着座者の玉枕ツボ３０などが押されているタイミングで、マッサージ部位の加熱と冷却とが交互に実行される。これにより、更なるリラックス効果の増大を図ることが可能となる。
【００４８】
また、マッサージ部位、つまり、着座者の後頭部及び頸部に汗などにより蒸れが生じている場合に、その部位への送風により、蒸れの水分が蒸発する。これにより、着座者に冷涼感を与えることが可能となる。
【００４９】
また、マッサージ装置２０では、マッサージ用の駆動源、つまり、マッサージ用空気袋２２を拡縮させるための駆動源および、送風用の駆動源として、エアポンプ６２が供用されている。これにより、新たな駆動源の配設スペース，コスト高などの問題を解決することが可能となる。
【００５０】
また、エアタンク６４，６６を用いることで、エアタンク６４，６６に貯留されたエア及び、エアポンプ６２から供給されるエアが、マッサージ部位に噴出される。これにより、小さなエアポンプであっても、エアの噴出量を大きくすることが可能となり、エアポンプの小型化を図ることが可能となる。
【００５１】
また、マッサージ装置２０では、面ヒータ２６ａ〜ｄがマッサージ用空気袋２２を覆うように配設されている。これにより、マッサージ部位を外すことなく、ピンポイントで効果的に加熱することが可能となる。また、エアを噴出する送風用空気袋２４ａ，ｂは、Ｔ字型の帯状をなし、複数のマッサージ用空気袋２２の隙間を埋めるように配設されている。これにより、加熱されたマッサージ部位を局所的に冷却することが可能となる。
【００５２】
また、エアを噴出する送風用空気袋２４ａ，ｂの送風穴５６の径は、上述したように、送風用空気袋２４ａ，ｂの空気袋側チューブ５８への接続箇所、つまり、送風用空気袋２４ａ，ｂへのエアの供給箇所に近いほど小さくされており、その箇所から遠いほど大きくされている。これにより、送風用空気袋２４ａ，ｂへのエアの供給箇所に近い送風穴５６からのエアの送風量と、送風用空気袋２４ａ，ｂへのエアの供給箇所から遠い送風穴５６からのエアの送風量とを同じにすることが可能となる。つまり、複数の送風穴５６からのエアの送風量を均一にすることが可能となる。
【００５３】
ちなみに、上記実施例において、車両用シート１０は、シートの一例である。マッサージ用空気袋２２は、拡縮袋の一例である。マッサージ用空気袋２２とエアポンプ６２とメインチューブ７８と拡縮用チューブ８０とにより構成される装置は、加圧装置の一例である。送風用空気袋２４ａ，ｂは、空気袋の一例である。送風用空気袋２４ａ，ｂとエアポンプ６２とメインチューブ７８と送風用チューブ８２とにより構成される装置は、送風装置の一例である。面ヒータ２６ａ〜ｄは、加温装置の一例である。送風穴５６は、穴の一例である。エアポンプ６２は、ポンプの一例である。エアタンク６４，６６は、タンクの一例である。制御装置７６は、制御装置の一例である。メインチューブ７８と拡縮用チューブ８０とにより構成されるチューブは、第１のエア供給経路の一例である。メインチューブ７８と送風用チューブ８２とにより構成されるチューブは、第２のエア供給経路の一例である。
【００５４】
＜第２実施例＞
上記実施例では、２台のエアタンク６４，６６が用いられているが、第２実施例では、１台のエアタンク６４が用いられる。この際のマッサージ装置２０のエアポンプ６２，面ヒータ２６ａ〜ｄ等のタイムチャートを、図６に示す。図から解るように、エアポンプ６２は、マッサージ装置２０の作動中、常時、作動する。そして、所定の周期毎に、給気用電磁弁６８の開放及び排気用電磁弁７０の遮断と、給気用電磁弁６８の遮断及び排気用電磁弁７０の開放とが繰り返される。これにより、マッサージ用空気袋２２が所定の周期毎に拡縮する。なお、第２実施例では、マッサージ用空気袋２２が１回拡縮する周期、つまり、マッサージ用空気袋２２が１回拡大した後に、マッサージ用空気袋２２が１回縮小する周期を、１サイクルと記載する。
【００５５】
そして、エアタンク６４のタンク用電磁弁７２は、マッサージ用空気袋２２が１サイクル目に拡大する際に、解放される。このため、エアポンプ６２から供給されるエアが、マッサージ用空気袋２２だけでなく、エアタンク６４に供給され、貯留される。また、エアタンク６４のタンク用電磁弁７２は、マッサージ用空気袋２２が１サイクル目に縮小する際に、遮断される。これにより、エアタンク６４へのエアの貯留が維持される。
【００５６】
続いて、エアタンク６４のタンク用電磁弁７２は、マッサージ用空気袋２２が２サイクル目に拡大する際に、解放される。これにより、エアポンプ６２から供給されるエアが、マッサージ用空気袋２２だけでなく、エアタンク６４に供給され、更に貯留される。つまり、エアタンク６４に、マッサージ用空気袋２２が２サイクル分、拡大する際に、エアが貯留される。そして、エアタンク６４のタンク用電磁弁７２は、マッサージ用空気袋２２が２サイクル目に縮小する際に、解放された状態が維持され、送風用電磁弁７４が開放される。これにより、エアタンク６４に貯留されたエアが送風用空気袋２４ａ，ｂの送風穴５６から噴出される。
【００５７】
このように、第２実施例のマッサージ装置２０では、マッサージ装置２０の作動中に、エアポンプ６２が常時、作動しているが、各種電磁弁の開閉によって、マッサージ用空気袋２２の拡縮と、エアタンク６４へのエアの貯留と、その貯留されたエアの送風用空気袋２４ａからの噴出とが実行される。これにより、エアポンプ６２のＯＮとＯＦＦとの切り換えを抑制することが可能となり、エアポンプ６２の耐久性が向上する。さらに言えば、エアタンク６４が１個とされることで、省スペース化，低コスト化などを図ることが可能となる。
【００５８】
また、面ヒータ２６ａ〜ｄは、マッサージ用空気袋２２が１サイクル目に拡大及び縮小する際に作動する。一方、エアタンク６４に貯留されたエアは、上述したように、マッサージ用空気袋２２が２サイクル目に縮小する際に、送風用空気袋２４ａの送風穴５６から噴出される。これにより、第２実施例のマッサージ装置２０においても、第１実施例と同様に、マッサージ部位の温度が周期的に変化することで、第１実施例と同様の効果を奏することが可能となる。
【００５９】
なお、本発明は、上記実施例に限定されるものではなく、当業者の知識に基づいて種々の変更、改良を施した種々の態様で実施することができる。具体的には、例えば、上記実施例では、面ヒータ２６ａ〜ｄによる加熱が停止して６秒後に、送風による冷却が実行され、送風が停止して３秒後に面ヒータ２６ａ〜ｄによる加熱が開始しているが、加熱と冷却とが交互に実行されればよい。この際、加熱の直後に冷却されてもよいし、冷却の直後に加熱されてもよい。なお、直後とは、例えば、加熱の停止と同時に冷却が開始される場合も含み、加熱の停止の前後、僅かな時間の間に冷却が開始される場合も含むことを意味する。
【００６０】
また、上記実施例では、マッサージ装置２０がヘッドレスト１６に配設されているが、シートクッション１２，シートバック１４に配設されてもよい。つまり、マッサージ対象の部位が着座者の背部，臀部，大腿部等であってもよい。
【００６１】
また、上記実施例では、マッサージ部位の加熱および、冷却が、マッサージ用空気袋２２が拡大するタイミングとされているが、マッサージ用空気袋２２が収縮するタイミング，マッサージ用空気袋２２の拡縮とは関係の無いタイミングなど、種々のタイミングで、加熱及び冷却が開始されてもよい。
【００６２】
また、上記実施例では、マッサージ用空気袋２２の拡縮によりマッサージ部位に対する加圧力が増減されているが、何らかの部材をマッサージ部位に向かって進退させること，振動させることで、加圧力を増減させてもよい。
【００６３】
また、上記実施例では、エアポンプ６２の作動によりマッサージ部位に送風されているが、ファンなどによりマッサージ部位に送風してもよい。また、マッサージ用の駆動源および、送風用の駆動源として、エアポンプ６２が供用されているが、マッサージ用の駆動源と送風用の駆動源とを別々のものとしてもよい。
【００６４】
また、マッサージ用空気袋２２及び、送風用空気袋２４ａ，ｂへのエアの供給路として、エアチューブ６０が採用されているが、ヘッドレスト１６のウレタン製のパッドに経路を形成し、その経路を、エアの供給路とすることが可能である。
【００６５】
また、マッサージ用空気袋２２が所定の周期で拡縮するように、エアポンプ６２の作動が制御されているが、着座者の呼吸，心拍等に従って、エアポンプ６２の作動を制御することが可能である。
【００６６】
また、上記実施例では、送風用空気袋２４ａ，ｂの送風穴５６の径は、送風用空気袋２４ａ，ｂへのエアの供給箇所に近いほど小さくされており、その箇所から遠いほど大きくされている。つまり、送風用空気袋２４ａ，ｂへのエアの供給箇所と送風穴５６との間の距離に応じて、送風穴５６の径が変更されているが、送風用空気袋２４ａ，ｂへのエアの供給箇所と送風穴５６との間の距離に応じて、送風穴５６の数を変更してもよい。つまり、図７に示すように、送風用空気袋２４ａ，ｂの送風穴５６の数を、送風用空気袋２４ａ，ｂへのエアの供給箇所に近いほど少なくし、その箇所から遠いほど多くしてもよい。このように、送風穴５６の数を変更することでも、送風用空気袋２４ａ，ｂへのエアの供給箇所に近い送風穴５６からのエアの送風量と、送風用空気袋２４ａ，ｂへのエアの供給箇所から遠い送風穴５６からのエアの送風量とを同じにすることが可能となる。
【００６７】
また、上記実施例では、本発明が車両用シート１０に適用されているが、飛行機，船等の種々の乗物のシートに本発明を適用することが可能である。また、乗物用のシートに限られず、家具用のシート，マッサージ用のシートなど、種々の目的のシートに発明を適用することが可能である。
【００６８】
車両用シート１０は以下の構成を有することも可能である。
（付記１）
前記制御装置が、
前記加温装置の作動が停止する前に前記加圧装置による加圧力は減少しており、前記加温装置の作動が停止したタイミングで前記加圧装置による加圧力が増加し、その後に前記送風装置による送風が開始するように、前記加温装置と前記送風装置と前記加圧装置との作動を制御することを特徴とする。
これにより、加圧力の増減と、マッサージ部位の温度変化とを同期させることが可能となり、マッサージによるリラックス効果を更に増大させることが可能となる。
（付記２）
前記制御装置が、
前記加温装置の作動が開始する前に前記加圧装置による加圧力は減少するとともに、前記送風装置による送風が停止しており、前記加圧装置による加圧力が増加するタイミングで前記加温装置の作動が開始するように、前記加温装置と前記送風装置と前記加圧装置との作動を制御することを特徴とする。
これにより、加圧力の増減と、マッサージ部位の昇温とを同期させることが可能となり、マッサージによるリラックス効果を更に増大させることが可能となる。
（付記３）
前記制御装置が、
加圧装置により、マッサージ用空気袋へ空気供給／解放を繰り返すとともに、解放時にはタンク若しくは送風装置へ空気供給を振り分ける制御を行う。
タンクに圧縮空気が一定量貯留されると、マッサージ用空気袋に空気供給される（空気袋が拡大する）タイミングで、圧縮空気を開放し、送風装置から放出する。
その後、引き続いて、マッサージ用空気袋の空気が開放される（空気袋が縮小する）間、加圧装置から直接、送風装置へ空気供給を行う。
これら送風装置から送風されている間は、加温装置は停止している。
【符号の説明】
【００６９】
１０：車両用シート（シート）    ２２：マッサージ用空気袋（加圧装置）（拡縮袋）    ２４：送風用空気袋（送風装置）（空気袋）    ２６：面ヒータ（加温装置）    ５６：送風穴（穴）    ６２：エアポンプ（加圧装置）（送風装置）（ポンプ）    ６４：エアタンク（タンク）    ６６：エアタンク（タンク）    ７６：制御装置    ７８：メインチューブ（加圧装置）（送風装置）（第１のエア供給経路）（第１のエア供給経路）    ８０：拡縮用チューブ（加圧装置）（第１のエア供給経路）    ８２：送風用チューブ（送風装置）（第２のエア供給経路）
【図１】
2019042201.tif 000003
【図２】
2019042201.tif 000004
【図３】
2019042201.tif 000005
【図４】
2019042201.tif 000006
【図５】
2019042201.tif 000007
【図６】
2019042201.tif 000008
【図７】
2019042201.tif 000009